(57)【特許請求の範囲】
【請求項１】
洋風便器の後部上面に設置されたケーシング内に脱臭カートリッジを設けた構造であって、該ケーシングが洋風便器に対し取り外し可能に取り付けられている脱臭カートリッジの設置構造において、
該洋風便器の後部上面に該ケーシングとは別体の脱臭カートリッジ保持部材が取り付けられ、該脱臭カートリッジ保持部材に該脱臭カートリッジが着脱可能に保持されており、
該ケーシングを該洋風便器から取り外したときに該脱臭カートリッジが該脱臭カートリッジ保持部材に残置されるように、該脱臭カートリッジがケーシングに対し非連結とされていることを特徴とする脱臭カートリッジの設置構造。
【請求項２】
洋風便器の後部上面に設置されたケーシング内に脱臭カートリッジを設けた構造であって、該ケーシングが洋風便器に対し昇降可能に取り付けられている脱臭カートリッジの設置構造において、
該洋風便器に該ケーシングとは別体の脱臭カートリッジ保持部材が取り付けられ、該脱臭カートリッジ保持部材に該脱臭カートリッジが着脱可能に保持されており、
該ケーシングが該洋風便器から上昇したときに該脱臭カートリッジが該脱臭カートリッジ保持部材に残置されるように、該脱臭カートリッジがケーシングに対し非連結とされていることを特徴とする脱臭カートリッジの設置構造。
【請求項３】
請求項２において、該洋風便器の後部上面に該脱臭カートリッジ保持部材が取り付けられ、該脱臭カートリッジ保持部材の上面に該脱臭カートリッジが上方から挿抜自在に嵌合していることを特徴とする脱臭カートリッジの設置構造。
【発明の詳細な説明】
【０００１】
【発明の属する技術分野】
本発明は洋風便器の便鉢内から臭気を排出する脱臭装置のカートリッジの設置構造に関するものであり、特に洋風便器の後部上面にカバーボックスあるいは便座ボックスなどのケーシングを設置し、このケーシング内に脱臭カートリッジを設置した場合に採用される脱臭カートリッジの設置構造に関する。さらに詳しくは、このケーシングが洋風便器に対し昇降可能あるいは着脱可能となっている場合に適用される脱臭カートリッジの設置構造に関する。
【０００２】
【従来の技術】
洋風便器の後部上面にカバーボックスを設置し、このカバーボックス内にロータンクや温水洗浄装置などを設置したタイプの洋風便器設備が普及しつつある。
【０００３】
第５図はこの種の洋風便器設備の構成を示す透視斜視図である。図示の通り、洋風便器１０の後部上面のベースプレート１２上に温水タンク１４、ロータンク１６、温風乾燥装置１８、脱臭ファン２０等の機器が設置され、これらの機器を覆うようにタンクカバー２２がベースプレート１２上に設置されている。このタンクカバー２２とベースプレート１２とによってカバーボックスが構成されている。
【０００４】
このタンクカバー２２は、カバー本体部２４とカバーフタ２６とからなり、該カバーフタ２６には手洗鉢部２８及び手洗吐水口３４などが設けられている。カバー本体部２４の前部に便座３０及び便蓋３２が起倒方向回動可能に取り付けられている。
【０００５】
なお、前記脱臭ファン２０の排気は脱臭カートリッジ３６を通って脱臭処理された後、カバー本体部２４の下部の排気口３８を通ってトイレルーム内へ放出される。この従来例にあっては、後述の通りこの排気口３８を通して脱臭カートリッジ３６を取り替えるようになっており、排気口３８が取替口としても機能している。
【０００６】
ロータンク１６の前面に、各装置を制御する制御回路を搭載した回路基板４０が設置されている。
【０００７】
ロータンク１６内の水は、ハンドル４２又はモータ４４で開弁操作されるフロート弁装置（図示略）を介して洋風便器１０へ供給される。
【０００８】
ロータンク１６内には、ボールタップ４６から流出する清水を貯留するためのサービスタンク４８が設置されており、このサービスタンク４８内の清水が前記温水タンク１４へ供給される。この温水タンク１４内の温水は、ポンプ５０、メインバルブ５２及び切替バルブ５４を介して第１洗浄ノズル６０又は第２洗浄ノズル６２へ供給される。
【０００９】
このタンクカバー２２内にトイレルーム内の暖房用の温風ファン７０を設置されている。この温風ファン７０からの温風は洋風便器１０の後部側面に沿って吹き出る。
【００１０】
第６図の通り、前記排気口３８に蓋７４が着脱自在に装着されており、この蓋７４をあけることにより脱臭カートリッジ３６を取り出すことができる。なお、この蓋７４に排気用のスリット７４ａが設けられている。
【００１１】
脱臭カートリッジの設置構造の別の従来例について第７，８図を参照して説明する。
【００１２】
洋風便器８０の後部上面にロータンク８２及び便座ボックス８４が設置され、該便座ボックス８４に便座８６及び便蓋８８（第８図）が取り付けられている。便座ボックス８４は一方の側面に膨出部９０が設けられ、この膨出部９０内に温水タンク等が設置されている。この温水タンクから温水が供給される洗浄ノズル（第７、８図では図示略）は便座ボックス８４に設置されている。膨出部９０の上面にはこの洗浄あるいは脱臭の操作スイッチ群が設けられている。
【００１３】
この便座ボックス８４の他方のサイドに脱臭カートリッジ９２と脱臭ファン９４とが設置されており、便鉢９６内の臭気を脱臭カートリッジ９２で除去した後、便座ボックス８４の下方へ排出するよう構成している。
【００１４】
この脱臭カートリッジ９２は、第８図の如く取替口９８の蓋１００をあけることにより取り出すことができる。
【００１５】
ところで、このようなカバー本体部２４や便座ボックス８４の前縁部は、便鉢に臨んでいるため尿などがかかり易く、該前縁部の下側に汚れが溜り易い。また、洋風便器の便鉢後方の上面にも、同様に汚れが付き易い。この汚れを簡単に除去できるようにするために、カバーボックスを昇降装置によって昇降可能としたり、便座ボックスを取り外し可能とした洋風便器設備が既に市販されている。このような昇降機構としては、例えば特開平９−２８６１９号などがあり、便座ボックス着脱機構としては特開平１１−１８７９８４号、特開２０００−３１６７５４号などが提案されている。なお、本発明はこれらの昇降機構や便座ボックス着脱機構のいずれも採用でき、また、これら以外の昇降機構や便座ボックス着脱機構も採用できるものであり、昇降機構や便座ボックス着脱機構は全く限定されるものではない。
【００１６】
【発明が解決しようとする課題】
脱臭カートリッジには、脱臭運転に伴って空気中の埃が付着するので、時々脱臭カートリッジを取り出してブラシ等で埃を取り除くのが好ましいが、一般ユーザーは埃付着に気が付きにくく、脱臭カートリッジに埃が溜まりがちであった。
【００１７】
本発明は、一般ユーザーであっても脱臭カートリッジの存在に気がつき、脱臭カートリッジの清掃を行おうとする動機が生じ易い脱臭カートリッジの設置構造を提供することを目的とする。
【００１８】
【課題を解決するための手段】
本発明（請求項１）の脱臭カートリッジの設置構造は、洋風便器の後部上面に設置されたケーシング内に脱臭カートリッジを設けた構造であって、該ケーシングが洋風便器に対し取り外し可能に取り付けられている脱臭カートリッジの設置構造において、該洋風便器の後部上面に該ケーシングとは別体の脱臭カートリッジ保持部材が取り付けられ、該脱臭カートリッジ保持部材に該脱臭カートリッジが着脱可能に保持されており、該ケーシングを該洋風便器から取り外したときに該脱臭カートリッジが該脱臭カートリッジ保持部材に残置されるように、該脱臭カートリッジがケーシングに対し非連結とされていることを特徴とするものである。
本発明（請求項２）の脱臭カートリッジの設置構造は、洋風便器の後部上面に設置されたケーシング内に脱臭カートリッジを設けた構造であって、該ケーシングが洋風便器に対し昇降可能に取り付けられている脱臭カートリッジの設置構造において、該洋風便器に該ケーシングとは別体の脱臭カートリッジ保持部材が取り付けられ、該脱臭カートリッジ保持部材に該脱臭カートリッジが着脱可能に保持されており、該ケーシングが該洋風便器から上昇したときに該脱臭カートリッジが該脱臭カートリッジ保持部材に残置されるように、該脱臭カートリッジがケーシングに対し非連結とされていることを特徴とするものである。
【００１９】
かかる本発明の脱臭カートリッジの設置構造にあっては、ケーシングを上昇させたり洋風便器から取り外したりすると、脱臭カートリッジが洋風便器上に残置され、露見し、必らずユーザーの目に留まる。そのため、ユーザーは脱臭カートリッジの存在に気が付き、もし脱臭カートリッジに埃が付着していればこれを清掃除去しようとするようになる。この結果、脱臭カートリッジがこまめに清掃されるようになり、脱臭効果が向上する。
【００２０】
【発明の実施の形態】
以下、図面を参照して本発明の実施の形態について説明する。第１図は本発明の実施の形態に係る脱臭カートリッジの設置構造を備えた洋風便器装置の分解斜視図、第２図はこの洋風便器装置のロータンクカバーを上昇させた状態の側面図である。
【００２１】
この洋風便器装置は、洋風便器１１０と、この洋風便器１１０の後部上面に上下動可能に設置されたロータンク１３０及びロータンクカバー１３４を備えている。
【００２２】
洋風便器１１０は、前部に鉢部１１２を有し、後部上面には、便器洗浄水が貯水されるロータンクを設置するためのスペース１１４が設けられている。ロータンク１３０は、このスペース１１４上において昇降支台装置１５０を介して上下動可能に設置されている。また、スペース１１４には、該ロータンク１３０の下部の便器洗浄水放出口１３２から放出される放出水を該鉢部１１２に導入するための便器洗浄水導入口１１６（この実施の形態ではディストリビュータの水導入口）が設けられている。この便器洗浄水導入口１１６は蛇腹管１７０を介して該放出口１３２に導通されている。
【００２３】
図示はしないが、ロータンク１３０内の下部にはフロート弁機構が設けられており、ロータンクカバー１３４に取り付けられたフラッシュレバー１３６（第２，３図）を操作することにより該フロート弁機構が開弁され、ロータンク１３０内の水が前記放出口１３２から放出される。また、ロータンク１３０の上部にはボールタップ（図示略）が設けられており、ロータンク１３０内の水位が低下すると該ボールタップが開栓してロータンク１３０内に水が供給される。
【００２４】
ロータンク１３０は、該昇降支台装置１５０の昇降プレート１５４によって支持されている。昇降支台装置１５０は、該スペース１１４上に設置された枠形状のベースプレート１５２と、ロータンク１３０の下部に取り付けられた昇降プレート１５４と、これらの昇降プレート１５４とベースプレート１５２とを連結し、該昇降プレート１５４を該ベースプレート１５２に対し昇降駆動させる昇降装置１５６とを備えている。このベースプレート１５２は、その前縁が鉢部１１２の後縁よりも十分に離隔するように洋風便器１１０に固定される。
【００２５】
ロータンクカバー１３４はロータンク１３０と同じく昇降支台装置１５０の該昇降プレート１５４に支持されている。また、ロータンクカバー１３４は、その上部に手洗吐水部１４０を有した手洗鉢１３８を備えている（第２図）。この手洗吐水部１４０は、図示しない給水管を介して前記ボールタップに接続されており、該ボールタップが開栓することにより水が供給され、手洗鉢１３８に吐水する。このロータンクカバー１３４の前面側の下部には、便座１４２及び便蓋１４４が上下方向に回動可能に取り付けられている。
【００２６】
ベースプレート１５２は、下方に延出した複数のボルト１５２ａを有している。該ボルト１５２ａが洋風便器１１０のボルト挿通孔１１４ａに挿通され、ナット締めされることにより、該ベースプレート１５２が洋風便器１１０に固定される。
【００２７】
このベースプレート１５２の前部に脱臭カートリッジ１５３の保持部（嵌合部）が設けられ、脱臭カートリッジ１５３が該保持部に上方から挿抜自在に嵌合している。従って、この実施の形態ではベースプレート１５２が脱臭カートリッジ１５３の保持部材として機能している。
【００２８】
脱臭カートリッジ１５３の上方の昇降プレート１５４の前縁は切欠状となっている。脱臭カートリッジ１５３の上方のロータリングカバー１３４の底面には、脱臭カートリッジ１５３の挿入口１５３Ｈが開口している。ロータンクカバー１３４内には、この脱臭カートリッジ挿入口１５３Ｈの近傍に脱臭ファン（図示略）が設置されている。
【００２９】
ベースプレート１５２の中央部には、該スペース１１４に設けられた便器洗浄水導入口１１６が露出する開口１５８が設けられている。この開口１５８には、蛇腹管１７０の下端側が挿通されている。
【００３０】
昇降プレート１５４には、ロータンクカバー１３４の下部から下方に延出した複数のボルト１３４ａを受け入れる挿通孔１５４ａが設けられている。昇降プレート１５４の各挿通孔１５４ａに挿通された該ボルト１３４ａにナット（図示略）が締め込まれることにより、該昇降プレート１５４とロータンクカバー１３４とが結合している。
【００３１】
また、昇降プレート１５４には、ロータンク１３０の便器洗浄水放出口１３２が露出する開口１６０が設けられている。この開口１６０に蛇腹管１７０の上端側が挿通されている。
【００３２】
この昇降プレート１５４は、ベースプレート１５２の上方に略水平に配置されており、昇降装置１５６によって水平姿勢を保ったまま昇降可能に支持されている。
【００３３】
昇降装置１５６は、図示しないエアポンプにより筒体内部が加減圧されるエアシリンダ１６２と、エアシリンダ１６２の下端側からその筒体の軸心方向に延出し、鉛直方向に進退可能な脚状ロッド１６４とを有している。脚状ロッド１６４は、図示しない操作スイッチの操作によって該エアポンプが加圧作動し、エアシリンダ１６２内が加圧されることによって該エアシリンダ１６２から進出する。そして、エアシリンダ１６２から進出した脚状ロッド１６４は、エア圧開放スイッチが操作されてエアシリンダ１６２内からエアが放出されることによって該エアシリンダ１６２内に退動する。
【００３４】
エアシリンダ１６２は、下端が昇降プレート１５４に固着され、その筒体が昇降プレート１５４の鉛直上方に延在するように設置されている。脚状ロッド１６４は、図示しない挿通孔を通して該昇降プレート１５４の鉛直下方に延出している。この脚状ロッド１６４の下端はベースプレート１５２の上面側に固定されている。これにより、昇降プレート１５４がベースプレート１５２の上方に支持されると共に、脚状ロッド１６４がエアシリンダ１６２から進退することによって該昇降プレート１５４が垂直に昇降する。
【００３５】
なお、シリンダ１６２内には圧縮コイルスプリングが内蔵されており、ロータンク１３０、ロータンクカバー１３４、昇降プレート１５４、便座１４２、便蓋１４４等の荷重に対抗する上方付勢力を生じさせている。従って、比較的低圧のエアをエアシリンダ１６２内に供給することによりバネ圧とエア圧とを重畳させて昇降プレート１５４を上昇させることができる。もちろん、この昇降プレート１５４の昇降に伴い、昇降プレート１５４によって支持されたロータンク１３０やロータンクカバー１３４が全体として上下動する。
【００３６】
昇降プレート１５４を下降させたときには、この蛇腹管１７０は、ロータンク１３０の下降に伴って放出口１３２と導入口１１６とを連通したまま筒軸方向に押し縮められ、該放出口１３２と導入口１１６との間に介在する。
【００３７】
第２図の通り、昇降プレート１５４を上昇させたときには、この蛇腹管１７０は、ロータンク１３０の上方への移動に伴って放出口１３２と連結された該上端側が上方へ引張られ、放出口１３２と導入口１１６とを連通したまま筒軸方向に伸長する。なお、図示はしないが、この洋風便器装置においては、便座１４２に着座した便器使用者の臀部を洗浄するためのシャワー装置がロータンクカバー１３４の前面側の下部に設けられ、このシャワー装置に温水を供給するための温水タンクがロータンクカバー１３４内に設置されている。このシャワー装置及び温水タンクも、ロータンクカバー１３４を昇降させたときにはロータンクカバー１３４と一体に上下動する。
【００３８】
このように構成された洋風便器装置にあっては、ロータンクカバー１３４の下側の洋風便器１１０の後部上面を清掃するときには、図示しない上昇用スイッチを操作して前記エアポンプ（図示略）を加圧作動させ、昇降プレート１５４を上昇させる。これにより、ロータンク１３０やロータンクカバー１３４全体が一体的に持ち上げられ、洋風便器１１０の後部上面が露出すると共にロータンクカバー１３４の下部との間に十分な空間が生じ、洋風便器１１０の該後部上面が清掃可能となる。また、このときに脱臭カートリッジ１５３が第２図の通り露出するので、洋風便器１１０の後部上面を清掃しようとした人が脱臭カートリッジ１５３の存在に気付き、さらに、脱臭カートリッジ１５３に埃が付着しているとそれに気が付き、脱臭カートリッジ１５３を取り出して清掃するようになる。
【００３９】
清掃終了後には、下降用スイッチを操作する。これにより、エアシリンダ１６２内からエアが放出され、昇降プレート１５４が下降し、ロータンク１３０及びロータンクカバー１３４が洋風便器１１０上まで降りてくる。
【００４０】
このように、この洋風便器装置によると、昇降プレート１５４を上昇させることにより、ロータンク１３０やロータンクカバー１３４全体が上方へ持ち上げられ、洋風便器１１０の後部上面が露出するようになるため、この洋風便器１１０の上面、特に鉢部１１２の周辺部分を念入りに清掃することができると共に、脱臭カートリッジ１５３もこの清掃時に併せて清掃されるようになる。
【００４１】
第３図（ａ），（ｂ），（ｃ）は便座ボックスを洋風便器に前後方向に着脱自在としたタイプの脱臭カートリッジの設置構造の実施の形態を示すものである。
【００４２】
洋風便器２００の後部上面（ロータンク２１０の手前）に便座ボックス取付用アダプタ２２０が設けられており、便座ボックス２３０が該アダプタ２２０に対し取り外し可能に連結される。便座ボックス２３０の底面には該アダプタ２２０が係合する溝２３２が前後方向に設けられており、便座ボックス２３０はアダプタ２２０の前方側から該アダプタ２２０に対し着脱される。
【００４３】
このアダプタ２２０は側方に延出するプレート２２２を備え、このプレート２２２の上面に脱臭カートリッジ２２４の装着部（嵌着部）が設けられている。便座ボックス２３０の底面から後面にかけて、該便座ボックス２３０をアダプタ２２０に装着するときに脱臭カートリッジ２２４が入り込む開口２３４が設けられている。便座ボックス２３０内には、この開口２３４の近傍に脱臭ファンが設けられている。便座ボックス２３０には、便座２３６及び便蓋２３８が上下方向回動可能に取り付けられている。
【００４４】
この便座ボックス２３０は、手前に引くことによりアダプタ２２０から外すことができ、その底面や洋風便器２００の後部上面を清掃することができる。また、このように便座ボックス２３０を取り外したときにプレート２２２上の脱臭カートリッジ２２４が露出して清掃者の目に止まるので、脱臭カートリッジ２２４に埃が付いていれば気がつき、脱臭カートリッジ２２４が清掃される。
【００４５】
図４は上下方向着脱式便座ボックスに適用した実施の形態を示す斜視図である。
【００４６】
洋風便器３００の後部に本体取付ボルト３０２，３０４が固着され、該本体取付ボルト３０２，３０４が洋風便器３００の上面から上方に突出している。便座ボックス３１０の底面には、該本体取付ボルト３０２，３０４が挿抜される穴３１２，３１４が設けられている。便座ボックス３１０は、洋風便器３００の上方から該洋風便器３００の上面に降下され、穴３１２，３１４に本体取付ボルト３０２，３０４を挿入することにより洋風便器３００に固定される。便座ボックス３１０を持ち上げると、穴３１２，３１４が本体取付ボルト３０２，３０４から抜脱し、便座ボックス３１０が洋風便器３００から取り外される。３１６は便座、３１８は便蓋を示す。
【００４７】
この本体取付ボルト３０２から側方にプレート３２０が延設され、このプレート３２０の上面に脱臭カートリッジ３３０の保持部（嵌着部）が設けられ、脱臭カートリッジ３３０が着脱自在に保持されている。便座ボックス３１０の底面には、この脱臭カートリッジ３３０の受入用開口３４０が設けられている。便座ボックス３１０を洋風便器３００上に設置した際に、脱臭カートリッジ３３０は該開口３４０内に納まる。便座ボックス３１０内にはこの開口３４０の近傍に脱臭ファンが設けられている。便座ボックス３１０の側面には、脱臭処理された空気を排出する排気口３５０が設けられている。
【００４８】
この便座ボックス３１０も、清掃者が持ち上げて外した際にプレート３２０上の脱臭カートリッジ３３０が露出し、清掃者に視覚される。そのため、脱臭カートリッジ３３０に埃が付いていれば清掃者が気付いて掃除する。
【００４９】
第４図では、便座ボックスが上下に着脱される構成となっているが、便座ボックスが昇降する場合にも第４図と同様にして本発明を適用できる。
【００５０】
【発明の効果】
以上の通り、本発明によると、ケーシングを上昇させたり洋風便器から取り外した際に脱臭カートリッジが露出するので、脱臭カートリッジが高頻度で清掃されるようになる。このため、脱臭効率が向上する。
【図面の簡単な説明】
【図１】本発明の実施の形態に係る洋風便器装置の分解斜視図である。
【図２】図１の洋風便器装置のロータンクカバーを上昇させた状態の側面図である。
【図３】別の実施の形態の構成図である。
【図４】さらに別の実施の形態の構成図である。
【図５】従来例を示す洋風便器設備の透視斜視図である。
【図６】図５の従来例における脱臭カートリッジの取替方法を示す斜視図である。
【図７】別の従来例に係る構造を備えた洋風便器を示す透視斜視図である。
【図８】図７の従来例における脱臭カートリッジの取替方法を示す斜視図である。
【符号の説明】
１  脱臭装置
２  脱臭ハウジング
３  脱臭カートリッジ
４  ファンモータユニット
５  ヒンジピン
６  可動カバー部
１０，８０  洋風便器
１２  ベースプレート
２２  タンクカバー
３６，９２  脱臭カートリッジ
３８  排気口
１１０  洋風便器
１１２  鉢部
１１４  ロータンク設置用スペース
１１６  便器洗浄水導入口
１３０  ロータンク
１３２  便器洗浄水放出口
１３４  ロータンクカバー
１３８  手洗鉢
１４０  手洗吐水部
１５０  昇降支台装置
１５２  ベースプレート
１５３  脱臭カートリッジ
１５３  脱臭カートリッジ挿入口
１５４  昇降プレート
１５６  昇降装置
１６２  エアシリンダ
１６４  脚状ロッド
２００，３００  洋風便器
２２４，３３０  脱臭カートリッジ
２３０，３１０  便座ボックス
【図１】
0003864761.tif 000002
【図２】
0003864761.tif 000003
【図３】
0003864761.tif 000004
【図４】
0003864761.tif 000005
【図５】
0003864761.tif 000006
【図６】
0003864761.tif 000007
【図７】
0003864761.tif 000008
【図８】
0003864761.tif 000009